(57)【要約】      （修正有）【課題】  フィルタの取付位置にズレが生じても、フィルタをバイパスする空気が熱交換器側へ吸い込まれないようにする。【解決手段】  吸込口の内面に沿って移動自在に配置された薄板形状のフィルタ１３を所定のフィルタ機能を発揮する位置から移動させつつ表面に付着したゴミを除去した後所定のフィルタ機能を発揮する位置に復帰させる掃除機構Ｙとを備えた空気調和機において、前記フィルタ１３のメンテナンスの後のフィルタ装着後、または前記フィルタ１３の復帰動作時に、該フィルタ１３の復帰作動限においてフィルタ１３を通過しない空気が前記熱交換器７側に吸い込まれるのを防止する邪魔板３５を付設して、掃除機構Ｙによる掃除後にフィルタ１３を復帰させた時に、邪魔板３５により、フィルタ１３を通過しない空気が前記熱交換器７側に吸い込まれるのが防止されるようにしている。【選択図】        図２
2008076024.tif 000002
【特許請求の範囲】
【請求項１】
ケーシングの前面側から上面側に跨がって形成された吸込口から前記ケーシングの下面側に形成された吹出口に至る通風路内に、熱交換器とファンとを配置してなる空調機構と、前記吸込口の内面に沿って移動自在に配置された薄板形状のフィルタを所定のフィルタ機能を発揮する位置から移動させつつ表面に付着したゴミを除去した後所定のフィルタ機能を発揮する位置に復帰させる掃除機構とを備えた空気調和機であって、前記フィルタのメンテナンスの後のフィルタ装着後、または前記フィルタの復帰動作時に、該フィルタの復帰作動限においてフィルタを通過しない空気が前記熱交換器側に吸い込まれるのを防止する空気流入阻止手段を付設したことを特徴とする空気調和機。
【請求項２】
前記空気流入阻止手段を、前記フィルタの上端部が収納される部位に設けられた邪魔板により構成したことを特徴とする請求項１記載の空気調和機。
【請求項３】
前記邪魔板を、前記掃除機構を構成する掃除ユニットケーシングと一体に形成したことを特徴とする請求項２記載の空気調和機。
【請求項４】
前記掃除機構には、前記フィルタの復帰作動限を検知する検知手段を設けたことを特徴とする請求項１、２および３のいずれか一項記載の空気調和機。
【請求項５】
前記検知手段を、前記フィルタの復帰作動方向端部より所定寸法だけ離れた位置を検知するものとしたことを特徴とする請求項４記載の空気調和機。
【発明の詳細な説明】
【技術分野】
【０００１】
本願発明は、空気調和機に関し、さらに詳しくは空調機構とフィルタの掃除機構とを併設した空気調和機に関するものである。
【背景技術】
【０００２】
フィルタを自動的に掃除する掃除機構を備えた空気調和機は、従来から知られている。このような構成の空気調和機におけるフィルタの掃除機構は、例えば、空気吸込口の内面に沿って往復動自在に配置された薄板状のフィルタと、該フィルタの往復移動経路中に配置したダストボックスと、該ダストボックス内において前記フィルタの表裏両面を挟み付けるように配置したブラシとによって構成されており、前記ダストボックス内を往復移動するフィルタの表面に付着したゴミを前記ブラシでかき落とすことでフィルタの機能再生を図るようにしている（特許文献１参照）。
【０００３】
【特許文献１】特開２００４−１０１１０１号公報。
【発明の開示】
【発明が解決しようとする課題】
【０００４】
上記特許文献１に開示されている空気調和機におけるフィルタ掃除機構の場合、フィルタを往復移動させる過程においてその表面に付着しているゴミをブラシで除去することとなっているため、掃除が完了した後にフィルタを正規の位置に復帰させる必要がある。ところが、このようなフィルタを往復移動させるタイプの掃除機構においては、フィルタの取り付け性の容易性や駆動機構の制約によりフィルタ取付状態で構造的に余裕を持たす必要があるにもかかわらず、従来の掃除機構の場合、フィルタを通過しない空気（換言すれば、フィルタをバイパスした空気）が熱交換器に吸い込まれて熱交換器の汚れやカビ発生の原因となったり、フィルタ取付位置にズレが生じ、取付検知を誤検知してしまう場合があったため、構造的な余裕を持たせることが困難であった。
【０００５】
本願発明は、上記の点に鑑みてなされたもので、フィルタの取付位置にズレが生じても、フィルタをバイパスする空気が熱交換器側へ吸い込まれないようにすることを目的としている。
【課題を解決するための手段】
【０００６】
本願発明では、上記課題を解決するための第１の手段として、ケーシングの前面側から上面側に跨がって形成された吸込口から前記ケーシングの下面側に形成された吹出口に至る通風路内に、熱交換器とファンとを配置してなる空調機構と、前記吸込口の内面に沿って移動自在に配置された薄板形状のフィルタを所定のフィルタ機能を発揮する位置から移動させつつ表面に付着したゴミを除去した後所定のフィルタ機能を発揮する位置に復帰させる掃除機構とを備えた空気調和機において、前記フィルタのメンテナンスの後のフィルタ装着後、または前記フィルタの復帰動作時に、該フィルタの復帰作動限においてフィルタを通過しない空気が前記熱交換器側に吸い込まれるのを防止する空気流入阻止手段を付設している。
【０００７】
上記のように構成したことにより、フィルタのメンテナンスの後のフィルタ装着後、または掃除機構によるフィルタ掃除後にフィルタを復帰させた時に、空気流入阻止手段の作用により、フィルタの復帰作動限においてフィルタを通過しない空気が前記熱交換器側に吸い込まれるのが防止される。従って、フィルタの取付構造に余裕を持たせることができることとなり、フィルタの復帰位置にズレが生じたとしても、熱交換器が汚れたり、カビが発生したりすることがなくなる。
【０００８】
本願発明では、さらに、上記課題を解決するための第２の手段として、上記第１の手段を備えた空気調和機において、前記空気流入阻止手段を、前記フィルタの上端部が収納される部位に設けられた邪魔板により構成することもでき、そのように構成した場合、極めて簡単な構造の空気流入阻止手段が得られる。
【０００９】
本願発明では、さらに、上記課題を解決するための第３の手段として、上記第２の手段を備えた空気調和機において、前記邪魔板を、前記掃除機構を構成するフィルタ取付枠と一体に形成することもでき、そのように構成した場合、掃除機構を構成するフィルタ取付枠と邪魔板とを一体構造とすることができ、構造の簡略化およびコストダウンを図り得る。
【００１０】
本願発明では、さらに、上記課題を解決するための第４の手段として、上記第１、第２又は第３の手段を備えた空気調和機において、前記掃除機構に、前記フィルタの復帰作動限を検知する検知手段を設けることもでき、そのように構成した場合、掃除機構におけるフィルタの復帰作動限を検知手段によって容易に確認することができる。
【００１１】
本願発明では、さらに、上記課題を解決するための第５の手段として、上記第５の手段を備えた空気調和機において、前記検知手段を、前記フィルタの復帰作動方向端部より所定寸法だけ離れた位置を検知するものとすることもでき、そのように構成した場合、フィルタにおける復帰作動限側の端部が空気流入阻止手段が形成されている部位に到達した状態でフィルタの復帰を検知できることとなり、より確実な復帰検知を行うことができる。また、フィルタのメンテナンス後の取り付け時にも、確実な取り付け検知を行うことができる。
【発明の効果】
【００１２】
本願発明の第１の手段によれば、ケーシングの前面側から上面側に跨がって形成された吸込口から前記ケーシングの下面側に形成された吹出口に至る通風路内に、熱交換器とファンとを配置してなる空調機構と、前記吸込口の内面に沿って移動自在に配置された薄板形状のフィルタを所定のフィルタ機能を発揮する位置から移動させつつ表面に付着したゴミを除去した後所定のフィルタ機能を発揮する位置に復帰させる掃除機構とを備えた空気調和機において、前記フィルタのメンテナンスの後のフィルタ装着後、または前記フィルタの復帰動作時に、該フィルタの復帰作動限においてフィルタを通過しない空気が前記熱交換器側に吸い込まれるのを防止する空気流入阻止手段を付設して、フィルタのメンテナンスの後のフィルタ装着後、または掃除機構によるフィルタ掃除後にフィルタを復帰させた時に、空気流入阻止手段の作用により、フィルタの復帰作動限においてフィルタを通過しない空気が前記熱交換器側に吸い込まれるのが防止されるようにしたので、フィルタの取付構造に余裕を持たせることができることとなり、フィルタの復帰位置にズレが生じたとしても、熱交換器が汚れたり、カビが発生したりすることがなくなるという効果がある。
【００１３】
本願発明の第２の手段におけるように、上記第１の手段を備えた空気調和機において、前記空気流入阻止手段を、前記フィルタの上端部が収納される部位に設けられた邪魔板により構成することもでき、そのように構成した場合、極めて簡単な構造の空気流入阻止手段が得られる。
【００１４】
本願発明の第３の手段におけるように、上記第２の手段を備えた空気調和機において、前記邪魔板を、前記掃除機構を構成する掃除ユニットケーシングと一体に形成することもでき、そのように構成した場合、掃除機構を構成するフィルタ取付枠と邪魔板とを一体構造とすることができ、構造の簡略化およびコストダウンを図り得る。
【００１５】
本願発明の第４の手段におけるように、上記第１、第２又は第３の手段を備えた空気調和機において、前記掃除機構に、前記フィルタの復帰作動限を検知する検知手段を設けることもでき、そのように構成した場合、掃除機構におけるフィルタの復帰作動限を検知手段によって容易に確認することができる。
【００１６】
本願発明の第５の手段におけるように、上記第５の手段を備えた空気調和機において、前記検知手段を、前記フィルタの復帰作動方向端部より所定寸法だけ離れた位置を検知するものとすることもでき、そのように構成した場合、フィルタにおける復帰作動限側の端部が空気流入阻止手段が形成されている部位に到達した状態でフィルタの復帰を検知できることとなり、より確実な復帰検知を行うことができる。また、フィルタのメンテナンス後の取り付け時にも、確実な取り付け検知を行うことができる。
【発明を実施するための最良の形態】
【００１７】
以下、添付の図面を参照して、本願発明を好適な実施の形態について説明する。
【００１８】
図１および図２には、本願発明の実施の形態にかかる空気調和機が示されている。
【００１９】
この空気調和機は、セパレート型空気調和機の室内機であって、室内壁面に取り付けられる横長箱状のケーシング１を備えている。このケーシング１の前面壁１Ａと天面壁１Ｂには、前面側吸込口３Ａと上面側吸込口３Ｂとがそれぞれ設けられている。また、前記前面側吸込口３Ａの前面には、前面パネル２が設けられている。
【００２０】
この前面パネル２は、図１および図２においてそれぞれ実線図示するように、前記前面側吸込口３Ａに近接して該前面側吸込口３Ａを目隠しする閉位置と、図１および図２においてそれぞれ鎖線図示するように、前記閉位置から下方へ移動しつつその上端側を前方へ押し出した前傾状態の開位置の間で開閉可能とされ、該開位置において前記前面側吸込口３Ａを開口するように構成されている。
【００２１】
また、前記ケーシング１の底面壁１Ｃの前後方向中間位置には、横長開口状の吹出口４が設けられており、該吹出口４には、水平フラップ４４と垂直フラップ４５とが設けられている。
【００２２】
さらに、前記ケーシング１における前記吹出口４よりも前方側であって前記前面壁１Ａの下端に近接する位置に設けられた収納部３０内には、後述するダストボックス２０を備えたブラシ機構Ｑが着脱自在に装着されている。
【００２３】
そして、図２に示すように、前記ケーシング１内において前記吸込口３（即ち、前面側吸込口３Ａおよび上面側吸込口３Ｂ）から前記吹出口４に至る間に形成される通風路５には、熱交換器７とファン８とが配置され、これらによって空調機構Ｘが構成されている。なお、前記熱交換器７は、前記吸込口３（主として、前面側吸込口３Ａ）に離間対向して上下方向へ延びる第１熱交換器７Ａと、該第１熱交換器７Ａの上端に連結されてここから背面壁１Ｄ側へ下降傾斜する第２熱交換器７Ｂとからなる略山形の屈曲形状を有している。
【００２４】
一方、前記ケーシング１における前記前面側吸込口３Ａと前記第１熱交換器７Ａの前面との間に形成される前面側スペースと、前記第１熱交換器７Ａと第２熱交換器７Ｂの上部と前記上面側吸込口３Ｂとの間に形成される上面側スペースには、これら両スペースに跨がって次述する掃除機構Ｙが配置されている。
【００２５】
この掃除機構Ｙは、図２および図３に示すように、前記ケーシング１の前面側吸込口３Ａから上面側吸込口３Ｂの内面に沿うように湾曲した側面視形状をもつ掃除ユニットケーシング１４を備えている。この掃除ユニットケーシング１４は、横長枠形状をもち前記ケーシング１側に固定配置されるもので、左右一対の側壁部１５，１５とこれら側壁部１５，１５の対向方向中間に位置する中間壁部１６を備えるとともに、これら側壁部１５，１５と中間壁部１６との間を格子材１７，１７・・で連結して一体化した枠状体からなっている。
【００２６】
この掃除ユニットケーシング１４における前記側壁部１５，１５と中間壁部１６との前記ケーシング１における前記上面側吸込口３Ｂに対応する上面側部分の側縁には、それぞれガイド溝１５ａ，１６ａが設けられている。また、前記掃除ユニットケーシング１４における前記ケーシング１の前面側吸込口３Ａに対応する前面部分には、この前面部分を外側（即ち、前面側）から覆うようにして、枠状のフィルタ押さえ４３がその上縁側を回動中心として前後方向へ回動可能に取り付けられている。
【００２７】
前記掃除ユニットケーシング１４の外面側には、前記一方の側壁部１５のガイド溝１５ａと中間壁部のガイド溝１６ａとの間、および他方の側壁部１５のガイド溝１５ａと中間壁部１６のガイド溝１６ａとの間のそれぞれには、図４に示すような薄板状のフィルタ１３が前記掃除ユニットケーシング１４の湾曲方向に沿って移動可能に配置されている。なお、このフィルタ１３は、前記掃除ユニットケーシング１４の前面部分においては前記フィルタ押さえ４３によって浮き上がりが防止されるようになっている。
【００２８】
前記フィルタ１３は、図４に示すように、矩形形状の枠体２５（具体的には、移動方向両側に位置する側枠２５Ａ，２５Ａと移動方向前後に位置する前後枠２５Ｂ，２５Ｂ）と該枠体２５に架設された格子桟２６と、該格子桟２６に囲まれた空間に配置されたフィルタ材２７，２７・・とによって構成されており、前記側枠２５Ａ，２５Ａには、移動方向に等間隔並ぶ多数の突起２８，２８・・が一体に突設されている。
【００２９】
そして、前記フィルタ１３は、図２および図５に示すように、前記掃除ユニットケーシング１４の前面部分において上下方向に離間して平行配置された第１プーリ１１と第２プーリ１２との間に掛け回された無端ベルト１０に係止され、該無端ベルト１０の走行に伴ってこれと一体的に移動されることとなっているが、フィルタ１３の無端ベルト１０への係止は、該無端ベルト１０に等間隔に並んで形成された多数の係合穴２９，２９・・と前記突起２８，２８・・との係合により達成されることとなっている。この場合、各係合穴２９の形状は、移動方向に長軸を有する楕円形状とするのが、突起２８，２８・・を係合穴２９，２９・・に係合させる際の自由度が大きくなるところから望ましく、係合穴２９，２９・・の間隔は、突起２８，２８・・の間隔と等しくするのが望ましいが、突起２８，２８・・の間隔を、係合穴２９，２９・・の間隔のｎ倍となるようにしてもよい。符号３１，３２は第１プーリ１１および第２プーリ１２をそれぞれ回転駆動させるための駆動手段として作用するモータである。
【００３０】
ところで、前記無端ベルト１０と前記第１および第２プーリ１１，１２とは、無端ベルト１０の内面に形成された凹凸１０ａ，１０ａ・・と前記第１および第２プーリ１１，１２の外周面に形成された凹凸１１ａ，１１ａ・・および１２ａ，１２ａ・・との噛み合いによって同期駆動せしめられることとなっているが、前記第１および第２プーリ１１，１２の外周面には、前記フィルタ１３側の突起２８，２８・・との干渉を回避するために前記凹凸１１ａ，１１ａ・・および１２ａ，１２ａ・・を切除してなる突起逃がし部１１ｂおよび１２ｂが設けられている（図６参照）。符号３３は左右の第１プーリ１１，１１を同期駆動させるための駆動軸、３４は左右の第２プーリを同期駆動させるための駆動軸である。
【００３１】
ところで、前記フィルタ１３は、図２および図３に示すように、その上端１３ａが前記掃除ユニットケーシング１４の上端部１４ａに位置し、その下端１３ｂが前記第１プーリ１１の近傍に位置するような配置状態を基本とする。この配置状態は、通常の空調運転時における位置であり、以下においては「第１フィルタ位置」という。
【００３２】
これに対して、前記フィルタ１３の掃除を行う掃除運転時には、前記第１および第２プーリ１１，１２が正転し、前記無端ベルト１０が矢印ａ方向（図２および図５参照）へ走行し、前記フィルタ１３は、図７に鎖線図示するように、前記無端ベルト１０とともに前記「第１フィルタ位置」から前記第１プーリ１１の外側を迂回して前記第２プーリ１２側まで引き出される。この時のフィルタ１３の位置を、以下においては「第２フィルタ位置」という。また、掃除終了後には、前記第１および第２プーリ１１，１２が逆転し、前記無端ベルト１０が矢印ｂ方向（図２および図５参照）へ走行することで、フィルタ１３は、無端ベルト１０とともに前記「第２フィルタ位置」から「第１フィルタ位置」まで戻されることとなっている。
【００３３】
このように、フィルタ１３が「第１フィルタ位置」と「第２フィルタ位置」の間で往復移動する際に、次述のブラシ機構Ｑによってフィルタ１３の表面に捕集されているゴミがかき落とされ、フィルタ１３のゴミ捕集機能が再生されることとなっている。
【００３４】
前記ブラシ機構Ｑは、図７に示すように、前記ケーシング１の底面壁１Ｃの前端部分に設けた収納部３０に対して着脱自在に取り付けられるものであり、第１ボックス体２１と第２ボックス体２２とからなるダストボックス２０内に掃除ブラシ２３を装備して構成されている。該掃除ブラシ２３は、図示しないブラシ駆動モータにより回転駆動されることとなっている。
【００３５】
上記したように、フィルタ１３は、「第１フィルタ位置」と「第２フィルタ位置」との間を往復移動せしめられることとなっているが、「第１フィルタ位置」に位置した状態において、空調運転が実施されることとなっており、このとき、フィルタ１３は、正確に「第１フィルタ位置」に位置せしめられる必要がある。つまり、フィルタ１３の上端１３ａが掃除ユニットケーシング１４の上端部１４ａに形成された収納位置に確実に到達し、熱交換器７側へフィルタ１３をバイパスした空気が流入することなく、フィルタ１３を通過した空気のみが流入することとなっている必要がある。ところが、実際には、フィルタ１３を往復移動させる際のズレとか駆動誤差に起因してフィルタ１３の上端１３ａが掃除ユニットケーシング１４の上端部１４ａにきっちりと到達せず、若干手前で止まってしまうことがある。また、ユーザがフィルタ１３のメンテナンスをしたあとに、取り付けた状態でも、フィルタ１３の上端部１３ａが掃除ユニットケーシング１４の上端部１４ａにきっちりと到達しないことがある。すると、フィルタ１３の上端１３ａと掃除ユニットケーシング１４の上端部１４ａとの間に吸込空気が通過し得る隙間が形成され、フィルタ１３をバイパスした空気が熱交換器７側へ流入してしまい、熱交換器７の汚れやカビ発生の原因となるおそれがある。
【００３６】
そこで、本実施の形態においては、前記掃除ユニットケーシング１４の上端部１４ａの下部（即ち、熱交換器７側）には、フィルタ１３のメンテナンス後の取り付け時、または前記フィルタ１３の復帰動作時に、該フィルタ１３の復帰作動限においてフィルタ１３を通過しない空気が前記熱交換器７側に吸い込まれるのを防止する空気流入阻止手段として作用する邪魔板３５が一体に形成されている。該邪魔板３５は、前記掃除ユニットケーシング１４の上端部１４ａから斜め下向きに一体に突設されて前記熱交換器７における屈曲接続部７ａをシールするためのシール部材３６の基端部により構成されている。該シール部材３６は、前記屈曲接続部７ａに圧接され得るように下向きの付勢力を有している。符号３７はシール部材３６に形成された空気流通穴である。
【００３７】
また、前記掃除ユニットケーシング１４には、前記フィルタ１３の復帰作動限を検知する検知手段として作用するリミットスイッチ３８が設けられている。該リミットスイッチ３８は、前記フィルタ１３の復帰作動方向端部（即ち、上端１３ａ）より所定寸法だけ離れた位置を検知するものとされている。このようにすると、フィルタ１３における復帰作動限側の端部１３ａが、邪魔板３５が形成されている部位に到達した状態でフィルタ１３の復帰を検知できることとなり、より確実な復帰検知を行うことができる。また、メンテナンス後のフィルタ１３の取り付け時にも、確実に取り付け検知を行うことができる。
【００３８】
なお、上記実施の形態においては、フィルタ１３を往復移動させるためにプーリ１１，１２と無端ベルト１０とからなる駆動手段を採用しているが、これに限定されるものではなく、ラック＆ピニオン形式の駆動手段を採用することもできる。
【００３９】
本願発明は、上記実施の形態に限定されるものではなく、発明の要旨を逸脱しない範囲において適宜設計変更可能なことは勿論である。
【図面の簡単な説明】
【００４０】
【図１】本願発明の実施の形態にかかる空気調和機の外観を示す斜視図である。
【図２】図１のＩＩ−ＩＩ拡大断面図である。
【図３】本願発明の実施の形態にかかる空気調和機においてケーシングを取り外した状態を示す斜視図である。
【図４】本願発明の実施の形態にかかる空気調和機において用いられるフィルタの拡大斜視図である。
【図５】本願発明の実施の形態にかかる空気調和機における掃除機構の要部を示す拡大斜視図である。
【図６】本願発明の実施の形態にかかる空気調和機における掃除機構において用いられるプーリの拡大正面図である。
【図７】図２のＩＶ矢視部分の拡大断面図である。
【符号の説明】
【００４１】
１はケーシング
３は吸込口
３Ａは前面側吸込口
３Ｂは天面側吸込口
４は吹出口
５は通風路
７は熱交換器
７Ａは第１熱交換器
７Ｂは第２熱交換器
８はファン
１３はフィルタ
１３ａは上端
１４は掃除ユニットケーシング
１４ａは上端部
３５は空気流入阻止手段（邪魔板）
３８は検知手段（リミットスイッチ）
Ｘは空調機構
Ｙは掃除機構
【図１】
2008076024.tif 000003
【図２】
2008076024.tif 000004
【図３】
2008076024.tif 000005
【図４】
2008076024.tif 000006
【図５】
2008076024.tif 000007
【図６】
2008076024.tif 000008
【図７】
2008076024.tif 000009